(57)【特許請求の範囲】
【請求項１】
電磁操作式の圧力調整弁であって、磁石部分（１０）が設けられており、該磁石部分（１０）内で磁石ケーシング（１１）内に磁石コイル（１５）と可動子（３０）とが配置されており、さらに、前記磁石部分に結合された弁接続部材（４０）が設けられており、該弁接続部材（４０）が、制御しようとする圧力媒体及び弁座（５０）のための通路（４２，４２ａ，５２，５７，５７ａ，５７ｂ，５７ｃ）を有しており、前記弁座（５０）が、弁接続部材（４０）の、圧力源（６０）に接続可能な圧力ライン（５８）と、弁接続部材（４０）の戻しライン（５３）との間の液圧式の接続部を開閉するための、可動子によって操作される弁部材（４８）と協働するようになっていて、圧力ライン（５８）と弁座（５０）との間に流れ制御部材（５７，５７ａ，５７ｂ，５７ｃ）が配置されている形式のものにおいて、
前記弁接続部材（４０）がプラスチックより成っており、前記流れ制御部材（５７，５７ａ，５７ｂ，５７ｃ）が、弁接続部材（４０）内に組み込んで配置された絞り孔として構成されており、該絞り孔が、異なる横断面形状を有する少なくとも２つの孔区分（５７ｂ、５７ｃ）を有していることを特徴とする、電磁石操作式の圧力調整弁。
【請求項２】
可動子（３０）がラム（２８）と協働する、請求項１記載の電磁石操作式の圧力調整弁。
【請求項３】
前記絞り孔（５７，５７ａ，５７ｂ，５７ｃ）の横断面が多角形に形成されている、請求項１記載の電磁石操作式の圧力調整弁。
【請求項４】
絞り孔（５７ａ）が、種々異なる横断面及び長さを有する多数の部分（５７ｂ，５７ｃ）より成っている、請求項１記載の電磁石操作式の圧力調整弁。
【発明の詳細な説明】
【０００１】
【発明の属する技術分野】
本発明は、電磁操作式の圧力調整弁であって、磁石部分が設けられており該磁石部分内で磁石ケーシング内に磁石コイルと可動子と、この可動子に結合されたラムとが配置されており、さらに、前記磁石部分に結合された弁接続部材が設けられており、該弁接続部材の壁部に、制御しようとする圧力媒体及び弁座のための通路が形成されており、該通路が、ラムによって操作される弁部材と協働するようになっていて、圧力源と弁座との間に流れ制御部材が配置されている形式のものに関する。
【０００２】
【従来の技術】
このような形式の実際に使用されている圧力調整弁においては、圧力調整弁に通じる圧力ライン内にオリフィスプレートが配置されている。このオリフィスプレートは、一般に打ち抜き成形された孔を備えた孔付きオリフィスの形状に構成されている。例えば自動車のオートマチックトランスミッションに組み込まれた圧力調整弁は、消費器に通じる圧力媒体流を、オリフィスプレートを備えたブリッジ回路内で調整する。この場合、例えばオリフィスプレートを打ち抜き成形するための打ち抜き工具が摩耗することによる寸法及び形状の変化が原因となって、オリフィスプレートの流量係数が変化するという欠点がある。従って圧力調整弁の特性、特にその位置及び湾曲度も、変化した流入状態によって影響を受ける。さらにまた、温度が低下若しくはオイル粘性が増大してもオリフィスプレートの液圧的な抵抗は比較的一定のままであるという欠点もある。これに対して、圧力調整弁内の弁座における液圧的な抵抗の層流の分力は、温度の低下に伴なって減少する。このような、オリフィスプレートと弁座との間の温度差に基づく抵抗状態の相違は、いわゆる残留圧力特性において生じる圧力調整弁の特性曲線のずれを引き起こすことになる。残留圧力が高すぎると、圧力調整弁によって制御される消費器の機能的な故障を招くことになる。
【０００３】
【発明が解決しようとする課題】
そこで本発明の課題は、このような従来の圧力調整弁における欠点を取り除くことである。
【０００４】
【課題を解決するための手段】
この課題を解決した本発明によれば、流れ制御部材が、弁接続部材内に組み込まれている。
【０００５】
【発明の利点】
本発明の構成による、電磁石操作式の圧力調整弁は、圧力調整弁の特性曲線が、液圧的なシステム内に組み込まれた状態においても常に比較的正確であるという利点を有している。プラスチックより成る弁接続部材内に流れ制御部材を組み込んだ構成によって、任意の幾何学的形状を有する流れ制御部材を安価な費用で得ることができる。圧力制御弁の特性曲線が温度とはほぼ無関係であるという点が特に有利である。
【０００６】
本発明による電磁石操作式の圧力調整弁の、その他の利点及び有利な構成は、請求項２の以下及び発明の詳細な説明に記載されている。
【０００７】
【発明の実施の形態】
次に図面に示した実施例について本発明の実施の形態について説明する。
【０００８】
図１に示した圧力調整弁は磁石部分１０を有している。この磁石部分１０は、Ｕ字形に引き込まれた底部１２と、この底部１２とは反対側に配置された縁曲げ縁部１３とを有するほぼスリーブ状の磁石ケーシング１１より成っている。磁石ケーシング１１の内室１４内には磁石コイル１５が挿入されている。この磁石コイル１５は、スリーブ状の磁心１８を有している。磁石コイル１５の２つの端面１９，２０は、磁心１８のそれぞれの端面２１，２２とほぼ接続している。
【０００９】
磁石ケーシング１１の底部１２側に向けられた側で磁心１８の孔２３内には調整ねじ２４が挿入されており、この調整ねじ２４の長さは磁心１８の長さのほぼ半分に相当する。また磁石ケーシング１１の底部１２とは反対側で調整ねじねじ２４内には段付き孔２６が形成されており、この段付き孔の、直径の大きい領域には、ラム２８をガイドするための滑り軸受２７が挿入されている。
【００１０】
ラム２８は、可動子３０内に形成された孔３１内に押し込むことによって可動子３０に堅固に結合されている。滑り軸受２７の端部と、可動子３０の突出部３２の端部とにおいて、ラム２８によってガイドされたコイルばね３３が支えられている。磁心１８は、可動子３０に向けられた側で、孔２３と同軸的な円筒形の切欠３４を有しており、この切欠３４の底部３６は、切欠３４内でガイドされた可動子３０の突出部３２のためのストッパとして用いられる。
【００１１】
前記突出部３２とは反対側で、可動子３０には段部状で円筒形の突起部３５が形成されている。この突起部３５は、ダイヤフラムばね３７の開口内に突入しており、このダイヤフラムばね３７の外周部は、縁曲げ縁部１３の領域内で磁石ケーシング１１の内室１４内における環状に延びるショルダ部３８に当接している。円板３９を介在させて、ダイヤフラムばね３６には、プラスチックより成る弁接続部材４０が当接している。
【００１２】
磁石部分１０と弁接続部材４０とは、磁石ケーシング１１の縁曲げ縁部１３を、弁接続部材４０の環状に延びる、引き込まれた縁部４１に向かって折り曲げることによって互いに密に接続されている。
【００１３】
弁接続部材４０内には、段付けされた貫通する縦孔４２が形成されている。この縦孔４２は、直径の大きい２つの区分４４，４５と、これらの区分４４，４５の間に配置された直径の小さい区分４６とを有している。区分４４内では、可動子３０の突起部３５によって負荷されている球状の弁部材４８がガイドされている。弁部材４８は、２つの区分４４と４６との移行部に形成された弁座５０と協働している。また区分４４内には、縦孔４２と交差する、貫通して延びる横孔５２が形成されている。この横孔５２は、戻しライン５３を介して無圧の室５４に接続されている。
【００１４】
縦孔４２の区分４５は、消費器ライン５５を介して図示していない消費器Ａに接続されている。区分４５のほぼ中央で環状溝５６の領域内には、区分４５に対して直交する方向で縦孔４２内に開口する絞り孔５７が形成されている。この絞り孔５７は、圧力ライン５８によってポンプ６０に接続されている。絞り孔５７の長さと直径との比は、少なくとも２：１である。これによって、絞り孔５７は、圧力媒体のための液圧的な絞りのように作用する。
【００１５】
図示の実施例に示し説明した電磁石操作式の圧力調整弁は、絞り孔５７とのブリッジ回路内において、消費器Ａ（詳しく図示せず）に通じる圧力媒体流を公知の形式で制御する。運転中は、弁部材４８には、弁座５０に作用する圧力媒体の圧力に基づく圧力と、この圧力に抗する、電磁石及びコイルばね３３の作用に基づく力との間で釣合が調節される。この釣合によって、圧力媒体は、圧力ライン５８、絞り孔５７、区分４５，４６、開放された弁座５０、横孔５２及び室５４に通じる戻しライン５３を介して制御されて流出することができる。これによって消費器Ａには常に圧力媒体の所望の圧力が生じることになる。
【００１６】
圧力調整弁の特性曲線を調整し、製造公差を補償するために、調節ねじ２４によってコイルばね３３におけるプレロード（若しくは予荷重）を変えることができる。弁接続部材においてはあらかじめ絞り孔５７が形成されているので、圧力調整弁の製造時に既に圧力調整弁自体の公差及び絞り孔５７の公差を、特性曲線がポンプ側の流入領域の影響をもはや受けないように、調整ねじ２４によって補償することができる。
【００１７】
弁接続部材４０がプラスチックより成っていることによって、流体技術的な理由により有利である絞り孔５７の任意の形状を簡単な形式で実現することができる。また、種々異なる横断面形状を有する絞り孔５７又はその孔区分の例えば４角形又は多角形の横断面も考えられる。
【００１８】
図２に示した実施例においては、絞り孔５７ａは延長されていて、この絞り孔５７ａは２つの区分５７ｂ，５７ｃより成っており、区分５７ｃが区分５７ｂに直交する方向でこの区分５７ｂ内に開口している。つまり区分５７ｃは、縦孔４２ａに対して平行に延びている。しかも、弁接続部材４０ａの同一の外径を得るために、区分５７ｃに対して平行に延びる、縦孔４２ａの区分４６ａの横断面は相応に合わせられている。つまり、区分４６ａは絞り孔５７ｂの領域内で突出部５９によって狭められている。
【００１９】
絞り孔５７ａを延長すること、つまり長さと直径との比を大きくしひいては絞り効果を大きくすることは、いわゆる残留圧力を低下させるために意味がある。残留圧力としては、圧力媒体の高い温度と低い温度との間の圧力調整弁の特性曲線のずれ、つまり種々異なる圧力媒体粘性が挙げられる。残留圧力特性は、圧力調整弁に接続された消費器Ａの機能に不都合な影響を及ぼす。顕著な残留圧力特性は、圧力調整弁（絞り孔５７なしの）とポンプ６０との間にオリフィスプレートが介在されている液圧システムにおいて生じる。残留圧力特性とは、このような液圧のシステムにおいては、オリフィスプレートの液圧的な抵抗が圧力媒体温度とはほとんど無関係であって、これに対して温度が低い場合に付加的な層状の抵抗部分が弁座において生じることである。従って残留圧力を低下させるためには、弁座の手前に付加的な層状の抵抗部分を設け、これによって弁座５０において生じる圧力を低下させるようにしなければならない。これは、絞り孔５７，５７ａの長さと直径との比を相応に構成するか又は絞り孔５７，５７ａの形状を相応に選択するよって可能である。これによって圧力媒体弁の特性曲線は温度の影響をほとんど受けなくなる。
【００２０】
さらにまた本発明は、球弁だけに限定されるものではない。むしろ例えばすべり弁又は円錐形弁座付き弁も本発明の構成として考えられる。
【図面の簡単な説明】
【図１】本発明の１実施例による電磁石操作式の圧力調整弁の縦断面図である。
【図２】図１に示した圧力調整弁の弁接続部材の部分の別の実施例を示す縦断面図である。
【符号の説明】
１０  磁石部分、  １１  磁石ケーシング、  １２  底部、  １３  縁曲げ縁部、  １４  内室、  １５  磁石コイル、  １８  磁心、  １９，２０  磁石コイル１５の端面、  ２１，２２  磁心１８の端面、  ２３  孔、  ２４  調整ねじ、  ２６  段付き孔、  ２７  滑り軸受、  ２８  ラム、  ３０  可動子、  ３１  孔、  ３２  突出部、  ３３  コイルばね、  ３４  切欠、  ３５  突起部、  ３６  底部、  ３７  ダイヤフラムばね、  ３８  ショルダ部、  ３９  円板、  ４０  弁接続部材、  ４１  縁部、  ４２，４２ａ  縦孔、  ４４，４５，４６，４６ａ  区分、  ４８  弁部材、  ５０  弁座、５２  横孔、  ５３戻しライン、  ５４  室、  ５５  消費器ライン、  ５６  環状溝、  ５７  絞り孔、  ５７ａ    絞り孔、  ５７ｂ，５７ｃ、  ５８  圧力ライン、  ５９突出部、  ６０  ポンプ
【図１】
0003715694.tif 000002
【図２】
0003715694.tif 000003